(57)【特許請求の範囲】
【請求項１】
プレイヤー用に特注適合させた少なくとも１つのアイアンタイプのゴルフクラブの基準ライ角を決定する方法であって、
ａ）水平の打撃表面を有する第１ライ・ボードを提供するステップと、
ｂ）前記水平の打撃表面に対して傾いた斜角の打撃表面を有する第２のライ・ボードを提供するステップであり、前記第２のライ・ボードはフラットなライ角方位および垂直のライ角方位を含むステップと、
ｃ）ソールおよび試験用のライ角を含む試験用のクラブを提供するステップであり、前記試験用のクラブは前記少なくとも１つのアイアンタイプのゴルフクラブと所定の関係を有しているステップと、
ｄ）トウ領域、ヒール領域および中間領域を含むゲージを提供するステップと、
ｅ）前記ゲージを前記試験用のクラブのソールに接触させるステップと、
ｆ）前記水平の打撃表面に対して前記試験用のクラブをスイングし、前記水平の打撃表面に前記ゲージを衝突させるように前記プレイヤーに指示するステップであり、第１境界標を前記ゲージに付けさせるステップと、
ｇ）前記第１境界標が前記トウ領域、前記ヒール領域または前記中間領域に近似しているかどうかを特定するステップと、
ｈ）前記第１境界標が前記中間領域に近似している場合、前記基準ライ角が前記試験用のライ角に実質的に等しい前記少なくとも１つのアイアンタイプのゴルフクラブを選択するステップと、
ｉ）前記第１境界標が前記ヒール領域に近似している場合、前記フラットなライ角方位にある第２ライ・ボードの前記斜角の打撃表面に対して前記試験用のクラブをスイングし、前記斜角の打撃表面に前記ゲージを衝突させるように前記プレイヤーに指示するステップであり、第２境界標を前記ゲージに付けさせるステップと、
ｊ）ステップｉ）の前記第２境界標が前記トウ領域、前記ヒール領域または前記中間領域に近似しているかどうかを特定するステップであり、前記トウ領域は第１のフラットライ角値に関係し、前記中間領域は第２のフラットライ角値に関係し、前記ヒール領域は第３のフラットライ角値に関係しているステップと、
ｋ）ステップｉ）の前記第２境界標が前記トウ領域に近似している場合、前記基準ライ角が前記試験用ライ角と前記第１のフラットライ角値の差に実質的に等しい前記少なくとも１つのアイアンタイプのゴルフクラブを選択するステップと、
ｌ）ステップｉ）の前記第２境界標が前記中間領域に近似している場合、前記基準ライ角が前記試験用ライ角と前記第２のフラットライ角値の差に実質的に等しい前記少なくとも１つのアイアンタイプのゴルフクラブを選択するステップと、
ｍ）ステップｉ）の前記第２境界標が前記ヒール領域に近似している場合、前記基準ライ角が前記試験用ライ角と前記第３のフラットライ角値の差に実質的に等しい前記少なくとも１つのアイアンタイプのゴルフクラブを選択するステップと、
ｎ）前記第１境界標が前記トウ領域に近似している場合、前記垂直なライ角方位にある第２ライ・ボードの前記斜角の打撃表面に対して前記試験用のクラブをスイングし、前記斜角の打撃表面に前記ゲージを衝突させるように前記プレイヤーに指示するステップであり、前記第２境界標を前記ゲージに付けさせるステップと、
ｏ）ステップｎ）の前記第２境界標が前記トウ領域、前記ヒール領域または前記中間領域に近似しているかどうかを特定するステップであり、前記トウ領域は第１の垂直なライ角値に関係し、前記中間領域は第２の垂直なライ角値に関係し、前記ヒール領域は第３の垂直なライ角値に関係しているステップと、
ｐ）ステップｎ）の前記第２境界標が前記トウ領域に近似している場合、前記基準ライ角が前記試験用ライ角と前記第１の垂直ライ角値の合計に実質的に等しい前記少なくとも１つのアイアンタイプのゴルフクラブを選択するステップと、
ｑ）ステップｎ）の前記第２境界標が前記中間領域に近似している場合、前記基準ライ角が前記試験用ライ角と前記第２の垂直ライ角値の合計に実質的に等しい前記少なくとも１つのアイアンタイプのゴルフクラブを選択するステップと、
ｒ）ステップｎ）の前記第２境界標が前記ヒール領域に近似している場合、前記基準ライ角が前記試験用ライ角と前記第３の垂直ライ角値の合計に実質的に等しい前記少なくとも１つのアイアンタイプのゴルフクラブを選択するステップと、を含む方法。
【請求項２】
プレイヤー用に特注適合させた少なくとも１つのアイアンタイプのゴルフクラブの基準ライ角を決定する方法であって、
ａ）水平の打撃表面を提供するステップと、
ｂ）前記水平の打撃表面に対して傾いている斜角の打撃表面を提供するステップであり、前記斜角の打撃表面はフラットなライ角方位および垂直なライ角方位を含んでいるステップと、
ｃ）ソールおよび試験用のライ角を含む試験用のクラブを提供するステップであり、前記試験用のクラブは前記少なくとも１つのアイアンタイプのゴルフクラブと所定の関係を有しているステップと、
ｄ）トウ領域、ヒール領域および中間領域を含むゲージを提供するステップと、
ｅ）前記ゲージを前記試験用のクラブのソールに接触させるステップと、
ｆ）前記水平の打撃表面に対して前記試験用のクラブをスイングし、前記水平の打撃表面に前記ゲージを衝突させるように前記プレイヤーに指示するステップであり、第１境界標を前記ゲージに付けさせるステップと、
ｇ）前記第１境界標が前記トウ領域、前記ヒール領域または前記中間領域に近似しているかどうかを特定するステップと、
ｈ）前記第１境界標が前記中間領域に近似している場合、前記基準ライ角が前記試験用のライ角に実質的に等しい前記少なくとも１つのアイアンタイプのゴルフクラブを選択するステップと、
ｉ）前記第１境界標が前記ヒール領域に近似している場合、前記フラットなライ角方位にある前記斜角の打撃表面に対して前記試験用のクラブをスイングし、前記斜角の打撃表面に前記ゲージを衝突させるように前記プレイヤーに指示するステップであり、第２境界標を前記ゲージに付けさせるステップと、
ｊ）ステップｉ）の前記第２境界標が前記トウ領域、前記ヒール領域または前記中間領域に近似しているかどうかを特定するステップであり、前記トウ領域は第１のフラットライ角値に関係し、前記中間領域は第２のフラットライ角値に関係し、前記ヒール領域は第３のフラットライ角値に関係しているステップと、
ｋ）ステップｉ）の前記第２境界標が前記トウ領域に近似している場合、前記基準ライ角が前記試験用ライ角と前記第１のフラットライ角値の差に実質的に等しい前記少なくとも１つのアイアンタイプのゴルフクラブを選択するステップと、
ｌ）ステップｉ）の前記第２境界標が前記中間領域に近似している場合、前記基準ライ角が前記試験用ライ角と前記第２のフラットライ角値の差に実質的に等しい前記少なくとも１つのアイアンタイプのゴルフクラブを選択するステップと、
ｍ）ステップｉ）の前記第２境界標が前記ヒール領域に近似している場合、前記基準ライ角が前記試験用ライ角と前記第３のフラットライ角値の差に実質的に等しい前記少なくとも１つのアイアンタイプのゴルフクラブを選択するステップと、
ｎ）前記第１境界標が前記トウ領域に近似している場合、前記垂直なライ角方位にある前記斜角の打撃表面に対して前記試験用のクラブをスイングし、前記斜角の打撃表面に前記ゲージを衝突させるように前記プレイヤーに指示するステップであり、前記第２境界標を前記ゲージに付けさせるステップと、
ｏ）ステップｎ）の前記第２境界標が前記トウ領域、前記ヒール領域または前記中間領域に近似しているかどうかを特定するステップであり、前記トウ領域は第１の垂直なライ角値に関係し、前記中間領域は第２の垂直なライ角値に関係し、前記ヒール領域は第３の垂直なライ角値に関係しているステップと、
ｐ）ステップｎ）の前記第２境界標が前記トウ領域に近似している場合、前記基準ライ角が前記試験用ライ角と前記第１の垂直ライ角値の合計に実質的に等しい前記少なくとも１つのアイアンタイプのゴルフクラブを選択するステップと、
ｑ）ステップｎ）の前記第２境界標が前記中間領域に近似している場合、前記基準ライ角が前記試験用ライ角と前記第２の垂直ライ角値の合計に実質的に等しい前記少なくとも１つのアイアンタイプのゴルフクラブを選択するステップと、
ｒ）ステップｎ）の前記第２境界標が前記ヒール領域に近似している場合、前記基準ライ角が前記試験用ライ角と前記第３の垂直ライ角値の合計に実質的に等しい前記少なくとも１つのアイアンタイプのゴルフクラブを選択するステップと、を含む方法。
【請求項３】
プレイヤー用に特注適合させた少なくとも１つのアイアンタイプのゴルフクラブの基準ライ角を決定する方法であって、
ａ）水平の打撃表面を提供するステップと、
ｂ）前記水平の打撃表面に対して傾いている斜角の打撃表面を提供するステップであり、前記斜角の打撃表面はフラットなライ角方位および垂直なライ角方位を含んでいるステップと、
ｃ）ソールおよび試験用のライ角を含む試験用のクラブを提供するステップであり、前記試験用のクラブは前記少なくとも１つのアイアンタイプのゴルフクラブと所定の関係を有しているステップと、
ｄ）各々トウ領域、ヒール領域および中間領域を含む第１ゲージおよび第２ゲージを提供するステップと、
ｅ）前記第１ゲージを前記試験用のクラブのソールに接触させるステップと、
ｆ）前記水平の打撃表面に対して前記試験用のクラブをスイングし、前記水平の打撃表面に前記第１ゲージを衝突させるように前記プレイヤーに指示するステップであり、第１境界標を前記ゲージに付けさせるステップと、
ｇ）前記第１境界標が前記トウ領域、前記ヒール領域または前記中間領域に近似しているかどうかを特定するステップと、
ｈ）前記第１境界標が前記中間領域に近似している場合、前記基準ライ角が前記試験用のライ角に実質的に等しい前記少なくとも１つのアイアンタイプのゴルフクラブを選択するステップと、
ｉ）前記第１境界標が前記ヒール領域に近似している場合、前記試験用クラブのソールから前記第１ゲージを除き、前記試験用クラブのソールに前記第２ゲージを接触させ、前記フラットなライ角方位にある前記斜角の打撃表面に対して前記試験用のクラブをスイングし、前記斜角の打撃表面に前記ゲージを衝突させるように前記プレイヤーに指示するステップであり、第２境界標を前記第２ゲージに付けさせるステップと、
ｊ）ステップｉ）の前記第２境界標が前記トウ領域、前記ヒール領域または前記中間領域に近似しているかどうかを特定するステップであり、前記トウ領域は第１のフラットライ角値に関係し、前記中間領域は第２のフラットライ角値に関係し、前記ヒール領域は第３のフラットライ角値に関係しているステップと、
ｋ）ステップｉ）の前記第２境界標が前記トウ領域に近似している場合、前記基準ライ角が前記試験用ライ角と前記第１のフラットライ角値の差に実質的に等しい前記少なくとも１つのアイアンタイプのゴルフクラブを選択するステップと、
ｌ）ステップｉ）の前記第２境界標が前記中間領域に近似している場合、前記基準ライ角が前記試験用ライ角と前記第２のフラットライ角値の差に実質的に等しい前記少なくとも１つのアイアンタイプのゴルフクラブを選択するステップと、
ｍ）ステップｉ）の前記第２境界標が前記ヒール領域に近似している場合、前記基準ライ角が前記試験用ライ角と前記第３のフラットライ角値の差に実質的に等しい前記少なくとも１つのアイアンタイプのゴルフクラブを選択するステップと、
ｎ）前記第１境界標が前記トウ領域に近似している場合、前記試験用クラブのソールから前記第１ゲージを除き、前記試験用クラブのソールに前記第２ゲージを接触させ、前記垂直なライ角方位にある前記斜角の打撃表面に対して前記試験用のクラブをスイングし、前記斜角の打撃表面に前記第２ゲージを衝突させるように前記プレイヤーに指示するステップであり、前記第２境界標を前記第２ゲージに付けさせるステップと、
ｏ）ステップｎ）の前記第２境界標が前記トウ領域、前記ヒール領域または前記中間領域に近似しているかどうかを特定するステップであり、前記トウ領域は第１の垂直なライ角値に関係し、前記中間領域は第２の垂直なライ角値に関係し、前記ヒール領域は第３の垂直なライ角値に関係しているステップと、
ｐ）ステップｎ）の前記第２境界標が前記トウ領域に近似している場合、前記基準ライ角が前記試験用ライ角と前記第１の垂直ライ角値の合計に実質的に等しい前記少なくとも１つのアイアンタイプのゴルフクラブを選択するステップと、
ｑ）ステップｎ）の前記第２境界標が前記中間領域に近似している場合、前記基準ライ角が前記試験用ライ角と前記第２の垂直ライ角値の合計に実質的に等しい前記少なくとも１つのアイアンタイプのゴルフクラブを選択するステップと、
ｒ）ステップｎ）の前記第２境界標が前記ヒール領域に近似している場合、前記基準ライ角が前記試験用ライ角と前記第３の垂直ライ角値の合計に実質的に等しい前記少なくとも１つのアイアンタイプのゴルフクラブを選択するステップと、を含む方法。
【請求項４】
プレイヤー用に特注適合させた少なくとも１つのアイアンタイプのゴルフクラブの基準ライ角を決定する方法であって、
ａ）水平の打撃表面を提供するステップと、
ｂ）前記水平の打撃表面に対して傾いている斜角の打撃表面を提供するステップであり、前記斜角の打撃表面はフラットなライ角方位および垂直なライ角方位を含んでいるステップと、
ｃ）ソールおよび試験用のライ角を含む試験用のクラブを提供するステップであり、前記試験用のクラブは前記少なくとも１つのアイアンタイプのゴルフクラブと所定の関係を有しているステップと、
ｄ）トウ領域、ヒール領域および中間領域を含むゲージを提供するステップと、
ｅ）前記ゲージを前記試験用のクラブのソールに接触させるステップと、
ｆ）前記水平の打撃表面に対して少なくとも２度のテストスイングを行い、前記水平の打撃表面に前記ゲージを衝突させるように前記プレイヤーに指示するステップであり、少なくとも２つの第１境界標を前記ゲージに付けさせるステップと、
ｇ）前記少なくとも２つの第１境界標の中の大多数が前記トウ領域、前記ヒール領域または前記中間領域に近似しているかどうかを特定するステップと、
ｈ）前記少なくとも２つの第１境界標の中の大多数が前記中間領域に近似している場合、前記基準ライ角が前記試験用のライ角に実質的に等しい前記少なくとも１つのアイアンタイプのゴルフクラブを選択するステップと、
ｉ）前記少なくとも２つの第１境界標の中の大多数が前記ヒール領域に近似している場合、前記フラットなライ角方位にある前記斜角の打撃表面に対して少なくとも２度のテストスイングを行い、前記斜角の打撃表面に前記ゲージを衝突させるように前記プレイヤーに指示するステップであり、少なくとも２つの第２境界標を前記ゲージに付けさせるステップと、
ｊ）ステップｉ）の前記少なくとも２つの第２境界標の中の大多数が前記トウ領域、前記ヒール領域または前記中間領域に近似しているかどうかを特定するステップであり、前記トウ領域は第１のフラットライ角値に関係し、前記中間領域は第２のフラットライ角値に関係し、前記ヒール領域は第３のフラットライ角値に関係しているステップと、
ｋ）ステップｉ）の前記少なくとも２つの第２境界標の中の大多数が前記トウ領域に近似している場合、前記基準ライ角が前記試験用ライ角と前記第１のフラットライ角値の差に実質的に等しい前記少なくとも１つのアイアンタイプのゴルフクラブを選択するステップと、
ｌ）ステップｉ）の前記少なくとも２つの第２境界標の中の大多数が前記中間領域に近似している場合、前記基準ライ角が前記試験用ライ角と前記第２のフラットライ角値の差に実質的に等しい前記少なくとも１つのアイアンタイプのゴルフクラブを選択するステップと、
ｍ）ステップｉ）の前記少なくとも２つの第２境界標の中の大多数が前記ヒール領域に近似している場合、前記基準ライ角が前記試験用ライ角と前記第３のフラットライ角値の差に実質的に等しい前記少なくとも１つのアイアンタイプのゴルフクラブを選択するステップと、
ｎ）前記少なくとも２つの第１境界標の中の大多数が前記トウ領域に近似している場合、前記垂直なライ角方位にある前記斜角の打撃表面に対して少なくとも２度のテストスイングを行い、前記斜角の打撃表面に前記ゲージを衝突させるように前記プレイヤーに指示するステップであり、前記少なくとも２つの第２境界標を前記ゲージに付けさせるステップと、
ｏ）ステップｎ）の前記少なくとも２つの第２境界標の中の大多数が前記トウ領域、前記ヒール領域または前記中間領域に近似しているかどうかを特定するステップであり、前記トウ領域は第１の垂直なライ角値に関係し、前記中間領域は第２の垂直なライ角値に関係し、前記ヒール領域は第３の垂直なライ角値に関係しているステップと、
ｐ）ステップｎ）の前記少なくとも２つの第２境界標の中の大多数が前記トウ領域に近似している場合、前記基準ライ角が前記試験用ライ角と前記第１の垂直ライ角値の合計に実質的に等しい前記少なくとも１つのアイアンタイプのゴルフクラブを選択するステップと、
ｑ）ステップｎ）の前記少なくとも２つの第２境界標の中の大多数が前記中間領域に近似している場合、前記基準ライ角が前記試験用ライ角と前記第２の垂直ライ角値の合計に実質的に等しい前記少なくとも１つのアイアンタイプのゴルフクラブを選択するステップと、
ｒ）ステップｎ）の前記少なくとも２つの第２境界標の中の大多数が前記ヒール領域に近似している場合、前記基準ライ角が前記試験用ライ角と前記第３の垂直ライ角値の合計に実質的に等しい前記少なくとも１つのアイアンタイプのゴルフクラブを選択するステップと、を含む方法。
【請求項５】
プレイヤー用に特注適合させた少なくとも１つのアイアンタイプのゴルフクラブの基準ライ角を決定する方法であって、
ａ）水平の打撃表面を提供するステップと、
ｂ）前記水平の打撃表面に対して傾いている斜角の打撃表面を提供するステップであり、前記斜角の打撃表面はフラットなライ角方位および垂直なライ角方位を含んでいるステップと、
ｃ）ソールおよび試験用のライ角を含む試験用のクラブを提供するステップであり、前記試験用のクラブは前記少なくとも１つのアイアンタイプのゴルフクラブと所定の関係を有しているステップと、
ｄ）各々トウ領域、ヒール領域および中間領域を含む第１ゲージおよび第２ゲージを提供するステップと、
ｅ）前記ゲージを前記試験用のクラブのソールに接触させるステップと、
ｆ）前記水平の打撃表面に対して少なくとも２度のテストスイングを行い、前記水平の打撃表面に前記第１ゲージを衝突させるように前記プレイヤーに指示するステップであり、少なくとも２つの第１境界標を前記第１ゲージに付けさせるステップと、
ｇ）前記少なくとも２つの第１境界標の中の大多数が前記トウ領域、前記ヒール領域または前記中間領域に近似しているかどうかを特定するステップと、
ｈ）前記少なくとも２つの第１境界標の中の大多数が前記中間領域に近似している場合、前記基準ライ角が前記試験用のライ角に実質的に等しい前記少なくとも１つのアイアンタイプのゴルフクラブを選択するステップと、
ｉ）前記少なくとも２つの第１境界標の中の大多数が前記ヒール領域に近似している場合、前記試験用クラブのソールから前記第１ゲージを除き、前記試験用クラブのソールに前記第２ゲージを接触させ、前記フラットなライ角方位にある前記斜角の打撃表面に対して少なくとも２度のテストスイングを行い、前記斜角の打撃表面に前記ゲージを衝突させるように前記プレイヤーに指示するステップであり、少なくとも２つの第２境界標を前記ゲージに付けさせるステップと、
ｊ）ステップｉ）の前記少なくとも２つの第２境界標の中の大多数が前記トウ領域、前記ヒール領域または前記中間領域に近似しているかどうかを特定するステップであり、前記トウ領域は第１のフラットライ角値に関係し、前記中間領域は第２のフラットライ角値に関係し、前記ヒール領域は第３のフラットライ角値に関係しているステップと、
ｋ）ステップｉ）の前記少なくとも２つの第２境界標の中の大多数が前記トウ領域に近似している場合、前記基準ライ角が前記試験用ライ角と前記第１のフラットライ角値の差に実質的に等しい前記少なくとも１つのアイアンタイプのゴルフクラブを選択するステップと、
ｌ）ステップｉ）の前記少なくとも２つの第２境界標の中の大多数が前記中間領域に近似している場合、前記基準ライ角が前記試験用ライ角と前記第２のフラットライ角値の差に実質的に等しい前記少なくとも１つのアイアンタイプのゴルフクラブを選択するステップと、
ｍ）ステップｉ）の前記少なくとも２つの第２境界標の中の大多数が前記ヒール領域に近似している場合、前記基準ライ角が前記試験用ライ角と前記第３のフラットライ角値の差に実質的に等しい前記少なくとも１つのアイアンタイプのゴルフクラブを選択するステップと、
ｎ）前記少なくとも２つの第１境界標の中の大多数が前記トウ領域に近似している場合、前記試験用クラブのソールから前記第１ゲージを除き、前記試験用クラブのソールに前記第２ゲージを接触させ、前記垂直なライ角方位にある前記斜角の打撃表面に対して少なくとも２度のテストスイングを行い、前記斜角の打撃表面に前記ゲージを衝突させるように前記プレイヤーに指示するステップであり、前記少なくとも２つの第２境界標を前記ゲージに付けさせるステップと、
ｏ）ステップｎ）の前記少なくとも２つの第２境界標の中の大多数が前記トウ領域、前記ヒール領域または前記中間領域に近似しているかどうかを特定するステップであり、前記トウ領域は第１の垂直なライ角値に関係し、前記中間領域は第２の垂直なライ角値に関係し、前記ヒール領域は第３の垂直なライ角値に関係しているステップと、
ｐ）ステップｎ）の前記少なくとも２つの第２境界標の中の大多数が前記トウ領域に近似している場合、前記基準ライ角が前記試験用ライ角と前記第１の垂直ライ角値の合計に実質的に等しい前記少なくとも１つのアイアンタイプのゴルフクラブを選択するステップと、
ｑ）ステップｎ）の前記少なくとも２つの第２境界標の中の大多数が前記中間領域に近似している場合、前記基準ライ角が前記試験用ライ角と前記第２の垂直ライ角値の合計に実質的に等しい前記少なくとも１つのアイアンタイプのゴルフクラブを選択するステップと、
ｒ）ステップｎ）の前記少なくとも２つの第２境界標の中の大多数が前記ヒール領域に近似している場合、前記基準ライ角が前記試験用ライ角と前記第３の垂直ライ角値の合計に実質的に等しい前記少なくとも１つのアイアンタイプのゴルフクラブを選択するステップと、を含む方法。
【請求項６】
プレイヤー用に特注適合させた少なくとも１つのアイアンタイプのゴルフクラブの基準ライ角を決定する方法であって、
第1打撃表面と第２打撃表面を提供するステップであり、前記第1打撃表面は前記第２打撃表面とは異なるステップと、
データ取得装置を含む試験用クラブを提供するステップと、
前記第1打撃表面に対して前記試験用クラブをスイングするようにプレイヤーに指示するステップであり、初期情報は前記データ取得装置によって収集するステップと、
前記データ取得装置によって収集した前記初期情報が予め設定した条件を満足させるか否か決定するステップと、
前記条件が満足される場合に、前記第２打撃表面に対して前記試験用クラブをスイングするようにプレイヤーに指示するステップであり、前記データ取得装置によって補足情報を収集するステップと、
前記データ取得装置によって収集した補足情報を評価して、前記基準ライ角を決定するステップと、を含む方法。
【請求項７】
プレイヤー用に特注適合させた少なくとも１つのアイアンタイプのクラブの基準ライ角を決定するための複数のライ・ボードであって、
水平表面を含む第１ライ・ボードであり、前記水平表面は前記第１ライ・ボードが通常の使用位置にある場合に水平である第１ライ・ボードと、
斜角表面を含む第２ライ・ボードであり、前記斜角表面は前記第２ライ・ボードが通常の使用位置にある場合に水平方向に対して斜角である第２ライ・ボードと、を含むライ・ボード。
【発明の詳細な説明】
【技術分野】
【０００１】
本発明は、シャフト適合システムに関する。
（著作権の認可）
以下の開示は著作権により保護されている。米国特許商標庁に登録されている形で、本開示に含まれる文書をファクシミリにより複製することには、本著作権保有者は何ら異議を申し立てないが、それ以外は、適用可能な著作権はすべて留保されている。
【背景技術】
【０００２】
アイアンタイプのクラブは一般的にセットとして使用するように意図されている。一般的に、アイアンタイプのクラブの仕様はセットの少なくとも一部全体にわたって増加する。ライ角などのクラブ仕様は、一定のショットを達成する場合に重要であり、プレイヤーのスイングタイプおよび肉体的特性により決定される。従って、アイアンセットのかかるパラメーターを最適化して各自の道具で最大のパーフォーマンスを達成できるように、クラブ仕様をプレイヤー一人一人に適合させなければならない。適合プロセス中、複数（例えば７つ）のアイアンを使い、平面のライ・ボードに対するプレイヤーのスイングを評価することによって、一般的に全セットのクラブ仕様が決定される。
【０００３】
従来のライ・ボード適合方法では、プレイヤーのテストショット中、試験用クラブのソールとライ・ボードの間の接触点を決定することにより、そのプレイヤーの理想的なライ角が一般的に決定される。図１−３に示すように、ライテープ１１２を最初に試験用クラブ１００のソール１０８にあてがい、フェースの中心線１１８の近くのライテープ１１２上に、リーディングエッジに実質的に垂直な基準線１１１を印す。図４および５を参照すると、本明細書で使用する場合、「フェースの中心線」と言う用語は、試験用のクラブのクラブヘッドをアドレス位置に置いた状態で、衝突フェース１２３と、リーディングエッジ１２４に実質的に垂直でフェースの中心線を通過する仮想垂直平面との交点により規定される仮想線を意味する。
【０００４】
再び図３を参照すると、基準線をライテープ上に印した後、プレイヤーは試験用クラブをライ・ボードに対してスイングする。クラブヘッドのソールとライ・ボードとの間の衝撃により、ライテープの接触部分に傷の付いた領域、あるいは破れた領域が生じる。ソールの衝撃点が基準線のトウ側にある場合、正確なライ角は、その１／４インチ（約５／８ｃｍ）毎に試験用のクラブのライよりも１°垂直になる。ソールの衝撃点が基準線のヒール側にある場合、正確なライ角は、その１／４インチ（約５／８ｃｍ）毎に試験用のクラブのライよりも１°フラットになる。
【発明の概要】
【発明が解決しようとする課題】
【０００５】
しかし、従来の適合カートは、プレイヤーが適切なライ角を持ったクラブヘッドで試験結果を確証できるように、一般的に数多くの「確認用クラブ」を必要としている。従って、従来の適合カートは一般的に高価で持ち運びに面倒である。
【課題を解決するための手段】
【０００６】
本発明は、１つ以上の態様において、プレイヤーに適合させるのに必要なクラブの数を減らすのに更に効果的な適合装置および方法を含んでいてもよい。
【０００７】
１つの実施例において、プレイヤー用に特注適合させた少なくとも１つのアイアンタイプのゴルフクラブの基準ライ角を決定する方法は、ａ）水平の打撃表面を有する第１ライ・ボードを提供するステップと、ｂ）前記水平の打撃表面に対して傾いた斜角の打撃表面を有する第２のライ・ボードを提供するステップであり、前記第２のライ・ボードはフラットなライ角方位および垂直のライ角方位を含むステップと、ｃ）ソールおよび試験用のライ角を含む試験用のクラブを提供するステップであり、前記試験用のクラブは前記少なくとも１つのアイアンタイプのゴルフクラブと所定の関係を有しているステップと、ｄ）トウ領域、ヒール領域および中間領域を含むゲージを提供するステップと、ｅ）前記ゲージを前記試験用のクラブのソールに接触させるステップと、ｆ）前記水平の打撃表面に対して前記試験用のクラブをスイングし、前記水平の打撃表面に前記ゲージを衝突させるように前記プレイヤーに指示するステップであり、第１境界標を前記ゲージに付けさせるステップと、ｇ）前記第１境界標が前記トウ領域、前記ヒール領域または前記中間領域に近似しているかどうかを特定するステップと、ｈ）前記第１境界標が前記中間領域に近似している場合、前記基準ライ角が前記試験用のライ角に実質的に等しい前記少なくとも１つのアイアンタイプのゴルフクラブを選択するステップと、ｉ）前記第１境界標が前記ヒール領域に近似している場合、前記フラットなライ角方位にある第２ライ・ボードの前記斜角の打撃表面に対して前記試験用のクラブをスイングし、前記斜角の打撃表面に前記ゲージを衝突させるように前記プレイヤーに指示するステップであり、第２境界標を前記ゲージに付けさせるステップと、ｊ）ステップｉ）の前記第２境界標が前記トウ領域、前記ヒール領域または前記中間領域に近似しているかどうかを特定するステップであり、前記トウ領域は第１のフラットライ角値に関係し、前記中間領域は第２のフラットライ角値に関係し、前記ヒール領域は第３のフラットライ角値に関係しているステップと、ｋ）ステップｉ）の前記第２境界標が前記トウ領域に近似している場合、前記基準ライ角が前記試験用ライ角と前記第１のフラットライ角値の差に実質的に等しい前記少なくとも１つのアイアンタイプのゴルフクラブを選択するステップと、ｌ）ステップｉ）の前記第２境界標が前記中間領域に近似している場合、前記基準ライ角が前記試験用ライ角と前記第２のフラットライ角値の差に実質的に等しい前記少なくとも１つのアイアンタイプのゴルフクラブを選択するステップと、ｍ）ステップｉ）の前記第２境界標が前記ヒール領域に近似している場合、前記基準ライ角が前記試験用ライ角と前記第２のフラットライ角値の差に実質的に等しい前記少なくとも１つのアイアンタイプのゴルフクラブを選択するステップと、ｎ）前記第１境界標が前記トウ領域に近似している場合、前記垂直なライ角方位にある第２ライ・ボードの前記斜角の打撃表面に対して前記試験用のクラブをスイングし、前記斜角の打撃表面に前記ゲージを衝突させるように前記プレイヤーに指示するステップであり、前記第２境界標を前記ゲージに付けさせるステップと、ｏ）ステップｎ）の前記第２境界標が前記トウ領域、前記ヒール領域または前記中間領域に近似しているかどうかを特定するステップであり、前記トウ領域は第１の垂直なライ角値に関係し、前記中間領域は第２の垂直なライ角値に関係し、前記ヒール領域は第３の垂直なライ角値に関係しているステップと、ｐ）ステップｎ）の前記第２境界標が前記トウ領域に近似している場合、前記基準ライ角が前記試験用ライ角と前記第１の垂直ライ角値の合計に実質的に等しい前記少なくとも１つのアイアンタイプのゴルフクラブを選択するステップと、ｑ）ステップｎ）の前記第２境界標が前記中間領域に近似している場合、前記基準ライ角が前記試験用ライ角と前記第２の垂直ライ角値の合計に実質的に等しい前記少なくとも１つのアイアンタイプのゴルフクラブを選択するステップと、ｒ）ステップｎ）の前記第２境界標が前記ヒール領域に近似している場合、前記基準ライ角が前記試験用ライ角と前記第３の垂直ライ角値の合計に実質的に等しい前記少なくとも１つのアイアンタイプのゴルフクラブを選択するステップとを含む。
【０００８】
別の実施例では、プレイヤー用に特注適合させた少なくとも１つのアイアンタイプのゴルフクラブの基準ライ角を決定する方法は、ａ）水平の打撃表面を提供するステップと、ｂ）前記水平の打撃表面に対して傾いている斜角の打撃表面を提供するステップであり、前記斜角の打撃表面はフラットなライ角方位および垂直なライ角方位を含んでいるステップと、ｃ）ソールおよび試験用のライ角を含む試験用のクラブを提供するステップであり、前記試験用のクラブは前記少なくとも１つのアイアンタイプのゴルフクラブと所定の関係を有しているステップと、ｄ）トウ領域、ヒール領域および中間領域を含むゲージを提供するステップと、ｅ）前記ゲージを前記試験用のクラブのソールに接触させるステップと、ｆ）前記水平の打撃表面に対して前記試験用のクラブをスイングし、前記水平の打撃表面に前記ゲージを衝突させるように前記プレイヤーに指示するステップであり、第１境界標を前記ゲージに付けさせるステップと、ｇ）前記第１境界標が前記トウ領域、前記ヒール領域または前記中間領域に近似しているかどうかを特定するステップと、ｈ）前記第１境界標が前記中間領域に近似している場合、前記基準ライ角が前記試験用のライ角に実質的に等しい前記少なくとも１つのアイアンタイプのゴルフクラブを選択するステップと、ｉ）前記第１境界標が前記ヒール領域に近似している場合、前記フラットなライ角方位にある前記斜角の打撃表面に対して前記試験用のクラブをスイングし、前記斜角の打撃表面に前記ゲージを衝突させるように前記プレイヤーに指示するステップであり、第２境界標を前記ゲージに付けさせるステップと、ｊ）ステップｉ）の前記第２境界標が前記トウ領域、前記ヒール領域または前記中間領域に近似しているかどうかを特定するステップであり、前記トウ領域は第１のフラットライ角値に関係し、前記中間領域は第２のフラットライ角値に関係し、前記ヒール領域は第３のフラットライ角値に関係しているステップと、ｋ）ステップｉ）の前記第２境界標が前記トウ領域に近似している場合、前記基準ライ角が前記試験用ライ角と前記第１のフラットライ角値の差に実質的に等しい前記少なくとも１つのアイアンタイプのゴルフクラブを選択するステップと、ｌ）ステップｉ）の前記第２境界標が前記中間領域に近似している場合、前記基準ライ角が前記試験用ライ角と前記第２のフラットライ角値の差に実質的に等しい前記少なくとも１つのアイアンタイプのゴルフクラブを選択するステップと、ｍ）ステップｉ）の前記第２境界標が前記ヒール領域に近似している場合、前記基準ライ角が前記試験用ライ角と前記第３のフラットライ角値の差に実質的に等しい前記少なくとも１つのアイアンタイプのゴルフクラブを選択するステップと、ｎ）前記第１境界標が前記トウ領域に近似している場合、前記垂直なライ角方位にある前記斜角の打撃表面に対して前記試験用のクラブをスイングし、前記斜角の打撃表面に前記ゲージを衝突させるように前記プレイヤーに指示するステップであり、前記第２境界標を前記ゲージに付けさせるステップと、ｏ）ステップｎ）の前記第２境界標が前記トウ領域、前記ヒール領域または前記中間領域に近似しているかどうかを特定するステップであり、前記トウ領域は第１の垂直なライ角値に関係し、前記中間領域は第２の垂直なライ角値に関係し、前記ヒール領域は第３の垂直なライ角値に関係しているステップと、ｐ）ステップｎ）の前記第２境界標が前記トウ領域に近似している場合、前記基準ライ角が前記試験用ライ角と前記第１の垂直ライ角値の合計に実質的に等しい前記少なくとも１つのアイアンタイプのゴルフクラブを選択するステップと、ｑ）ステップｎ）の前記第２境界標が前記中間領域に近似している場合、前記基準ライ角が前記試験用ライ角と前記第２の垂直ライ角値の合計に実質的に等しい前記少なくとも１つのアイアンタイプのゴルフクラブを選択するステップと、ｒ）ステップｎ）の前記第２境界標が前記ヒール領域に近似している場合、前記基準ライ角が前記試験用ライ角と前記第３の垂直ライ角値の合計に実質的に等しい前記少なくとも１つのアイアンタイプのゴルフクラブを選択するステップとを含む。
【０００９】
別の実施例では、プレイヤー用に特注適合させた少なくとも１つのアイアンタイプのゴルフクラブの基準ライ角を決定する方法は、ａ）水平の打撃表面を提供するステップと、ｂ）前記水平の打撃表面に対して傾いている斜角の打撃表面を提供するステップであり、前記斜角の打撃表面はフラットなライ角方位および垂直なライ角方位を含んでいるステップと、ｃ）ソールおよび試験用のライ角を含む試験用のクラブを提供するステップであり、前記試験用のクラブは前記少なくとも１つのアイアンタイプのゴルフクラブと所定の関係を有しているステップと、ｄ）各々トウ領域、ヒール領域および中間領域を含む第１ゲージおよび第２ゲージを提供するステップと、ｅ）前記第１ゲージを前記試験用のクラブのソールに接触させるステップと、ｆ）前記水平の打撃表面に対して前記試験用のクラブをスイングし、前記水平の打撃表面に前記第１ゲージを衝突させるように前記プレイヤーに指示するステップであり、第１境界標を前記ゲージに付けさせるステップと、ｇ）前記第１境界標が前記トウ領域、前記ヒール領域または前記中間領域に近似しているかどうかを特定するステップと、ｈ）前記第１境界標が前記中間領域に近似している場合、前記基準ライ角が前記試験用のライ角に実質的に等しい前記少なくとも１つのアイアンタイプのゴルフクラブを選択するステップと、ｉ）前記第１境界標が前記ヒール領域に近似している場合、前記試験用クラブのソールから前記第１ゲージを除き、前記試験用クラブのソールに前記第２ゲージを接触させ、前記フラットなライ角方位にある前記斜角の打撃表面に対して前記試験用のクラブをスイングし、前記斜角の打撃表面に前記ゲージを衝突させるように前記プレイヤーに指示するステップであり、第２境界標を前記第２ゲージに付けさせるステップと、ｊ）ステップｉ）の前記第２境界標が前記トウ領域、前記ヒール領域または前記中間領域に近似しているかどうかを特定するステップであり、前記トウ領域は第１のフラットライ角値に関係し、前記中間領域は第２のフラットライ角値に関係し、前記ヒール領域は第３のフラットライ角値に関係しているステップと、ｋ）ステップｉ）の前記第２境界標が前記トウ領域に近似している場合、前記基準ライ角が前記試験用ライ角と前記第１のフラットライ角値の差に実質的に等しい前記少なくとも１つのアイアンタイプのゴルフクラブを選択するステップと、ｌ）ステップｉ）の前記第２境界標が前記中間領域に近似している場合、前記基準ライ角が前記試験用ライ角と前記第２のフラットライ角値の差に実質的に等しい前記少なくとも１つのアイアンタイプのゴルフクラブを選択するステップと、ｍ）ステップｉ）の前記第２境界標が前記ヒール領域に近似している場合、前記基準ライ角が前記試験用ライ角と前記第３のフラットライ角値の差に実質的に等しい前記少なくとも１つのアイアンタイプのゴルフクラブを選択するステップと、ｎ）前記第１境界標が前記トウ領域に近似している場合、前記試験用クラブのソールから前記第１ゲージを除き、前記試験用クラブのソールに前記第２ゲージを接触させ、前記垂直なライ角方位にある前記斜角の打撃表面に対して前記試験用のクラブをスイングし、前記斜角の打撃表面に前記第２ゲージを衝突させるように前記プレイヤーに指示するステップであり、前記第２境界標を前記第２ゲージに付けさせるステップと、ｏ）ステップｎ）の前記第２境界標が前記トウ領域、前記ヒール領域または前記中間領域に近似しているかどうかを特定するステップであり、前記トウ領域は第１の垂直なライ角値に関係し、前記中間領域は第２の垂直なライ角値に関係し、前記ヒール領域は第３の垂直なライ角値に関係しているステップと、ｐ）ステップｎ）の前記第２境界標が前記トウ領域に近似している場合、前記基準ライ角が前記試験用ライ角と前記第１の垂直ライ角値の合計に実質的に等しい前記少なくとも１つのアイアンタイプのゴルフクラブを選択するステップと、ｑ）ステップｎ）の前記第２境界標が前記中間領域に近似している場合、前記基準ライ角が前記試験用ライ角と前記第２の垂直ライ角値の合計に実質的に等しい前記少なくとも１つのアイアンタイプのゴルフクラブを選択するステップと、ｒ）ステップｎ）の前記第２境界標が前記ヒール領域に近似している場合、前記基準ライ角が前記試験用ライ角と前記第３の垂直ライ角値の合計に実質的に等しい前記少なくとも１つのアイアンタイプのゴルフクラブを選択するステップとを含む。
【００１０】
更に別の実施例では、プレイヤー用に特注適合させた少なくとも１つのアイアンタイプのゴルフクラブの基準ライ角を決定する方法は、ａ）水平の打撃表面を提供するステップと、ｂ）前記水平の打撃表面に対して傾いている斜角の打撃表面を提供するステップであり、前記斜角の打撃表面はフラットなライ角方位および垂直なライ角方位を含んでいるステップと、ｃ）ソールおよび試験用のライ角を含む試験用のクラブを提供するステップであり、前記試験用のクラブは前記少なくとも１つのアイアンタイプのゴルフクラブと所定の関係を有しているステップと、ｄ）トウ領域、ヒール領域および中間領域を含むゲージを提供するステップと、ｅ）前記ゲージを前記試験用のクラブのソールに接触させるステップと、ｆ）前記水平の打撃表面に対して少なくとも２度のテストスイングを行い、前記水平の打撃表面に前記ゲージを衝突させるように前記プレイヤーに指示するステップであり、少なくとも２つの第１境界標を前記ゲージに付けさせるステップと、ｇ）前記少なくとも２つの第１境界標の中の大多数が前記トウ領域、前記ヒール領域または前記中間領域に近似しているかどうかを特定するステップと、ｈ）前記少なくとも２つの第１境界標の中の大多数が前記中間領域に近似している場合、前記基準ライ角が前記試験用のライ角に実質的に等しい前記少なくとも１つのアイアンタイプのゴルフクラブを選択するステップと、ｉ）前記少なくとも２つの第１境界標の中の大多数が前記ヒール領域に近似している場合、前記フラットなライ角方位にある前記斜角の打撃表面に対して少なくとも２度のテストスイングを行い、前記斜角の打撃表面に前記ゲージを衝突させるように前記プレイヤーに指示するステップであり、少なくとも２つの第２境界標を前記ゲージに付けさせるステップと、ｊ）ステップｉ）の前記少なくとも２つの第２境界標の中の大多数が前記トウ領域、前記ヒール領域または前記中間領域に近似しているかどうかを特定するステップであり、前記トウ領域は第１のフラットライ角値に関係し、前記中間領域は第２のフラットライ角値に関係し、前記ヒール領域は第３のフラットライ角値に関係しているステップと、ｋ）ステップｉ）の前記少なくとも２つの第２境界標の中の大多数が前記トウ領域に近似している場合、前記基準ライ角が前記試験用ライ角と前記第１のフラットライ角値の差に実質的に等しい前記少なくとも１つのアイアンタイプのゴルフクラブを選択するステップと、ｌ）ステップｉ）の前記少なくとも２つの第２境界標の中の大多数が前記中間領域に近似している場合、前記基準ライ角が前記試験用ライ角と前記第２のフラットライ角値の差に実質的に等しい前記少なくとも１つのアイアンタイプのゴルフクラブを選択するステップと、ｍ）ステップｉ）の前記少なくとも２つの第２境界標の中の大多数が前記ヒール領域に近似している場合、前記基準ライ角が前記試験用ライ角と前記第３のフラットライ角値の差に実質的に等しい前記少なくとも１つのアイアンタイプのゴルフクラブを選択するステップと、ｎ）前記少なくとも２つの第１境界標の中の大多数が前記トウ領域に近似している場合、前記垂直なライ角方位にある前記斜角の打撃表面に対して少なくとも２度のテストスイングを行い、前記斜角の打撃表面に前記ゲージを衝突させるように前記プレイヤーに指示するステップであり、前記少なくとも２つの第２境界標を前記ゲージに付けさせるステップと、ｏ）ステップｎ）の前記少なくとも２つの第２境界標の中の大多数が前記トウ領域、前記ヒール領域または前記中間領域に近似しているかどうかを特定するステップであり、前記トウ領域は第１の垂直なライ角値に関係し、前記中間領域は第２の垂直なライ角値に関係し、前記ヒール領域は第３の垂直なライ角値に関係しているステップと、ｐ）ステップｎ）の前記少なくとも２つの第２境界標の中の大多数が前記トウ領域に近似している場合、前記基準ライ角が前記試験用ライ角と前記第１の垂直ライ角値の合計に実質的に等しい前記少なくとも１つのアイアンタイプのゴルフクラブを選択するステップと、ｑ）ステップｎ）の前記少なくとも２つの第２境界標の中の大多数が前記中間領域に近似している場合、前記基準ライ角が前記試験用ライ角と前記第２の垂直ライ角値の合計に実質的に等しい前記少なくとも１つのアイアンタイプのゴルフクラブを選択するステップと、ｒ）ステップｎ）の前記少なくとも２つの第２境界標の中の大多数が前記ヒール領域に近似している場合、前記基準ライ角が前記試験用ライ角と前記第３の垂直ライ角値の合計に実質的に等しい前記少なくとも１つのアイアンタイプのゴルフクラブを選択するステップとを含む。
【００１１】
更に別の実施例では、プレイヤー用に特注適合させた少なくとも１つのアイアンタイプのゴルフクラブの基準ライ角を決定する方法は、ａ）水平の打撃表面を提供するステップと、ｂ）前記水平の打撃表面に対して傾いている斜角の打撃表面を提供するステップであり、前記斜角の打撃表面はフラットなライ角方位および垂直なライ角方位を含んでいるステップと、ｃ）ソールおよび試験用のライ角を含む試験用のクラブを提供するステップであり、前記試験用のクラブは前記少なくとも１つのアイアンタイプのゴルフクラブと所定の関係を有しているステップと、ｄ）各々トウ領域、ヒール領域および中間領域を含む第１ゲージおよび第２ゲージを提供するステップと、ｅ）前記ゲージを前記試験用のクラブのソールに接触させるステップと、ｆ）前記水平の打撃表面に対して少なくとも２度のテストスイングを行い、前記水平の打撃表面に前記第１ゲージを衝突させるように前記プレイヤーに指示するステップであり、少なくとも２つの第１境界標を前記第１ゲージに付けさせるステップと、ｇ）前記少なくとも２つの第１境界標の中の大多数が前記トウ領域、前記ヒール領域または前記中間領域に近似しているかどうかを特定するステップと、ｈ）前記少なくとも２つの第１境界標の中の大多数が前記中間領域に近似している場合、前記基準ライ角が前記試験用のライ角に実質的に等しい前記少なくとも１つのアイアンタイプのゴルフクラブを選択するステップと、ｉ）前記少なくとも２つの第１境界標の中の大多数が前記ヒール領域に近似している場合、前記試験用クラブのソールから前記第１ゲージを除き、前記試験用クラブのソールに前記第２ゲージを接触させ、前記フラットなライ角方位にある前記斜角の打撃表面に対して少なくとも２度のテストスイングを行い、前記斜角の打撃表面に前記ゲージを衝突させるように前記プレイヤーに指示するステップであり、少なくとも２つの第２境界標を前記ゲージに付けさせるステップと、ｊ）ステップｉ）の前記少なくとも２つの第２境界標の中の大多数が前記トウ領域、前記ヒール領域または前記中間領域に近似しているかどうかを特定するステップであり、前記トウ領域は第１のフラットライ角値に関係し、前記中間領域は第２のフラットライ角値に関係し、前記ヒール領域は第３のフラットライ角値に関係しているステップと、ｋ）ステップｉ）の前記少なくとも２つの第２境界標の中の大多数が前記トウ領域に近似している場合、前記基準ライ角が前記試験用ライ角と前記第１のフラットライ角値の差に実質的に等しい前記少なくとも１つのアイアンタイプのゴルフクラブを選択するステップと、ｌ）ステップｉ）の前記少なくとも２つの第２境界標の中の大多数が前記中間領域に近似している場合、前記基準ライ角が前記試験用ライ角と前記第２のフラットライ角値の差に実質的に等しい前記少なくとも１つのアイアンタイプのゴルフクラブを選択するステップと、ｍ）ステップｉ）の前記少なくとも２つの第２境界標の中の大多数が前記ヒール領域に近似している場合、前記基準ライ角が前記試験用ライ角と前記第３のフラットライ角値の差に実質的に等しい前記少なくとも１つのアイアンタイプのゴルフクラブを選択するステップと、ｎ）前記少なくとも２つの第１境界標の中の大多数が前記トウ領域に近似している場合、前記試験用クラブのソールから前記第１ゲージを除き、前記試験用クラブのソールに前記第２ゲージを接触させ、前記垂直なライ角方位にある前記斜角の打撃表面に対して少なくとも２度のテストスイングを行い、前記斜角の打撃表面に前記ゲージを衝突させるように前記プレイヤーに指示するステップであり、前記少なくとも２つの第２境界標を前記ゲージに付けさせるステップと、ｏ）ステップｎ）の前記少なくとも２つの第２境界標の中の大多数が前記トウ領域、前記ヒール領域または前記中間領域に近似しているかどうかを特定するステップであり、前記トウ領域は第１の垂直なライ角値に関係し、前記中間領域は第２の垂直なライ角値に関係し、前記ヒール領域は第３の垂直なライ角値に関係しているステップと、ｐ）ステップｎ）の前記少なくとも２つの第２境界標の中の大多数が前記トウ領域に近似している場合、前記基準ライ角が前記試験用ライ角と前記第１の垂直ライ角値の合計に実質的に等しい前記少なくとも１つのアイアンタイプのゴルフクラブを選択するステップと、ｑ）ステップｎ）の前記少なくとも２つの第２境界標の中の大多数が前記中間領域に近似している場合、前記基準ライ角が前記試験用ライ角と前記第２の垂直ライ角値の合計に実質的に等しい前記少なくとも１つのアイアンタイプのゴルフクラブを選択するステップと、ｒ）ステップｎ）の前記少なくとも２つの第２境界標の中の大多数が前記ヒール領域に近似している場合、前記基準ライ角が前記試験用ライ角と前記第３の垂直ライ角値の合計に実質的に等しい前記少なくとも１つのアイアンタイプのゴルフクラブを選択するステップとを含む。
【００１２】
更に別の実施例では、プレイヤー用に特注適合させた少なくとも１つのアイアンタイプのゴルフクラブの基準ライ角を決定する方法は、第1打撃表面と第２打撃表面を提供するステップであり、前記第1打撃表面は前記第２打撃表面とは異なるステップと、データ取得装置を含む試験用クラブを提供するステップと、前記第1打撃表面に対して前記試験用クラブをスイングするようにプレイヤーに指示するステップであり、初期情報は前記データ取得装置によって収集するステップと、前記データ取得装置によって収集した前記初期情報が予め設定した条件を満足させるか否か決定するステップと、前記条件が満足される場合に、前記第２打撃表面に対して前記試験用クラブをスイングするようにプレイヤーに指示するステップであり、前記データ取得装置によって補足情報を収集するステップと、前記データ取得装置によって収集した補足情報を評価して、前記基準ライ角を決定するステップとを含む。
【００１３】
更に別の実施例では、プレイヤー用に特注適合させた少なくとも１つのアイアンタイプのクラブの基準ライ角を決定するための複数のライ・ボードは、水平表面を有する第１のライ・ボードおよび斜角の表面を有する第２のライ・ボードを含む。
【００１４】
以下に詳細に記載される１つ以上の実施例が種々の態様によって示す本発明の適合装置および方法の上記特徴および利点並びに他の特徴および利点は、以下の発明を実施するための最良の形態、添付の図面および特許請求項の範囲を考慮すれば明白である。添付の図面は例示を目的とするのみであり、本発明の範囲を何ら限定するものではない。
【図面の簡単な説明】
【００１５】
添付図面を参照しながら、本発明の例示的実施形態を以下に説明する。
【図１】ゴルフクラブヘッドの底面図である。
【図２】ライテープを使用した、図１のゴルフクラブヘッドの底面図である。
【図３】図１のゴルフクラブヘッドの正面斜視図である。
【図４】図１のゴルフクラブヘッドの上面図である。
【図５】図１のゴルフクラブヘッドの正面立面図である。
【図６】ライテープを使用したゴルフクラブヘッドの後面斜視図である。
【図７】本発明の１つ以上の態様による、一般的に平面のライ・ボードの上面図である。
【図８】図７の８−８線に沿って切断した、図７の平面ライ・ボードの断面図である。
【図９Ａ】ライテープを使用したゴルフクラブヘッドの底面図である。
【図９Ｂ】図９Ａのゴルフクラブヘッドの底面図である。
【図９Ｃ】図９Ａのゴルフクラブヘッドの底面図である。
【図１０】本発明の１つ以上の態様による、斜角の打撃表面を持つ例示のライ・ボードの上面図である。
【図１１】図１０のライ・ボードの分解立体図である。
【図１２】図１０のライ・ボードの底面図である。
【図１３】図１２の１３−１３線にそって切断した図１０のライ・ボードの断面図である。
【図１４】本発明の１つ以上の態様による、例示のライ・ボードの底面図である。
【図１５】本発明の１つ以上の態様による、例示のライ・ボードの底面図である。
【図１６】本発明の１つ以上の態様による、例示のライ・ボードの底面図である。
【図１７】本発明の１つ以上の態様による、例示のライ・ボードの底面図である。
【図１８】本発明の１つ以上の態様による、例示のライ・ボードの底面図である。
【図１９】本発明の１つ以上の態様による、例示のライ・ボードの底面図である。
【図２０】斜角打撃表面を有するライ・ボードに対して構えを決めているゴルファーを例示したものである。
【図２１Ａ】ライテープを使用したゴルフクラブヘッドの底面図である。
【図２１Ｂ】２１Ａのゴルフクラブヘッドの底面図である。
【図２１Ｃ】２１Ａのゴルフクラブヘッドの底面図である。
【図２２Ａ】２１Ａのゴルフクラブヘッドの底面図である。
【図２２Ｂ】２１Ａのゴルフクラブヘッドの底面図である。
【図２２Ｃ】２１Ａのゴルフクラブヘッドの底面図である。
【図２３Ａ】２１Ａのゴルフクラブヘッドの底面図である。
【図２３Ｂ】２１Ａのゴルフクラブヘッドの底面図である。
【図２３Ｃ】２１Ａのゴルフクラブヘッドの底面図である。
【図２４Ａ】２１Ａのゴルフクラブヘッドの底面図である。
【図２４Ｂ】２１Ａのゴルフクラブヘッドの底面図である。
【図２４Ｃ】２１Ａのゴルフクラブヘッドの底面図である。
【図２５Ａ】２１Ａのゴルフクラブヘッドの底面図である。
【図２５Ｂ】２１Ａのゴルフクラブヘッドの底面図である。
【図２５Ｃ】２１Ａのゴルフクラブヘッドの底面図である。
【００１６】
かかる図面は例示目的のためであり、必ずしも一定の比例に応じて描かれたものではない。全ての図面で、同じまたは類似の要素は同じ符号が付されている。
【発明を実施するための形態】
【００１７】
プレイヤー用に特注適合させた少なくとも１つのアイアンタイプのゴルフクラブの基準ライ角を決定する新規なライ・ボードおよび方法が、開示されている。このライ・ボードおよび方法が右利きの人だけでなく左利きの人にも適用可能であることは、当業者であれば理解できるであろう。同様に、このライ・ボードおよび方法はアイアンだけでなくウェッジにも適用可能である。
【００１８】
図６を参照すると、本発明の１つ以上の態様によれば、ソール２０８と、クラブヘッドを基準位置に置いて測定された試験用ライ角βとを有する試験用のクラブ２００が最初にプレイヤーに提供される。プレイヤーのスイングに関する情報を収集するため、データ取得装置すなわちゲージ２１２がクラブヘッドのソール２０８に使用される。ゲージ２１２は機械的な装置（例えばライテープ）であってもよいし、プレイヤーのスイング情報をデータ端末に送信する電子装置であってもよい。本発明の１つ以上の態様によれば、ゲージ２１２にはトウ領域２２６ａ、中間領域２２６ｂおよびヒール領域２２６ｃが含まれる。
【００１９】
図７および８を参照すると、ライ・ボード２２５がプレイヤーの使用のために接地面に置かれている状態で水平打撃表面２３２を有する第１ライ・ボードに対して、試験用のクラブ２００をスイングするようにプレイヤーは指示される。図９Ａ−９Ｃに示されるように、水平打撃表面２３２に対するゲージ２１２の衝撃により、第１境界標（例えば第１境界標２３４ａ−ｃのようなマーク）がゲージ２１２上に生じる。第１境界標はテストスイング中にゲージ２１２の破れまたは傷により形成してもよいし、着色マーキングをライ・ボード２２５からゲージ２１２に直接移すことにより形成してもよい。別の実施例では、電子ゲージを使用する場合、仮想の第１境界標をデータ端末に送信してもよい。一般的に、第１ライ・ボード２２５は、ポリカーボネート、ポリプロピレン、プレキシグラス、ポリトリメチレンテレフタレート（ＰＴＴ）など、堅くて透明な素材で作られる。
【００２０】
テストスイングが完了したら、ゲージ２１２上の第１境界標の位置を特定し、記録する。例えば、第１境界標はトウ領域２２６ａ（図９Ａ）、中間領域２２６ｂ（図９Ｃ）またはヒール領域２２６ｃ（図９Ｂ）の近似場所にあるかもしれない。再び図９Ｃを参照すると、第１境界標がゲージ２１２の中間領域２２６ｂの近似場所にあれば、試験用ライ角βに実質的に等しい基準ライ角を有する少なくとも１つのアイアンタイプのゴルフクラブが、プレイヤー用に選択される。例えば、試験用のクラブ２００のライ角が６２°であれば、実質的に６２°の基準ライ角を持つゴルフクラブがプレイヤーのために選択される。セット中の残りのクラブのライは、選択されたクラブヘッドに合わせて調整する。しかし、第１境界標がトウ領域２２６ａ（図９Ａ）またはヒール領域２２６ｃ（図９Ｂ）の近似場所にあれば、第２ライ・ボード２３６（図１０）に対して試験用のクラブをスイングするように、プレイヤーは指示される。第２ライ・ボード２３６に対してテストスイングを行う前に、ゲージ２１２を試験用クラブのソールから外し、新しいゲージで置き替えてもよい。
【００２１】
図１０および１１を参照すると、第２ライ・ボード２３６は中心部分２３８と支持構造体２４０を含む合わせ構造を有していてもよい。中心部分２３８は、ライ・ボード２３６がプレイヤーの使用のために接地面に置かれている状態で、接地面に対して例えば１°、２°、３°傾いた斜角打撃表面２４４を有していてもよい。第２ライ・ボードを製造する適切な方法には、加圧成形、スタンピング、ミル加工、ウォータージェッティングなどがある。適合カートの重量を最小限にし、持ち運びを簡便化するため、第２ライ・ボードは軽くて堅い素材（例えば、ポリカーボネート、ポリプロピレン、ＰＴＴ、プレキシグラスなど）で作るのが好ましい。図１１に示すように、支持構造体２４０は中心部分２３８を受け入れる窪み２４５を含んでもよい。中心部分２３８は、プラスチック溶接、機械連動、押圧嵌合、接着剤結合などで支持構造体２４０に連結してもよい。本発明の１つ以上の態様によれば、試験用のクラブでライ・ボードを繰り返し打つと、中心部分２３８の打撃表面にひどい汚れおよび／または引っかき傷が蓄積する場合があるので、ライ・ボード２３６の中心部分２３８は取り替え可能であってもよい。
【００２２】
図１２および１３を参照すると、支持構造体２４０は、支持脚２５４と一体不可分の側方表面２５２を有する側方部２５０を更に含んでいてもよい。側方部２５０の下側に描かれる図案または表示が第２ライ・ボード２３６に対して構えているプレイヤーに見えるように、第２ライ・ボード２３６は透明または半透明の素材で作られているのが好ましい。支持脚２５４には、第２ライ・ボードがプレイヤーの使用のために接地面に置かれている状態で接地面２０７と接触し、クラブの衝撃の際にボードの動きを阻止するのに十分な大きさの捩り抵抗を提供する、足２５６が含まれていてもよい。
【００２３】
図１３に示すように、支持構造体２４０は、側方部２５０と一体不可分で中心部分２３８の近似位置にある中心強化部２４８を更に含んでいてもよい。中心強化部２４８は、長手方向に置かれた複数の強化部材２４６を含んでいてもよい。各強化部材は、衝撃亀裂および／または疲労亀裂を避けるため、中心部分２３８に隣接する支持プラットフォームによって分離されていてもよい。更に、クラブによる衝撃によって中心部分２３８が一方に偏るのを最小限に抑えるため、中心強化部２４８は、第２ライ・ボード２３６がプレイヤーの使用のために接地面に置かれている状態で、少なくとも部分的に接地面２０７と接触していてもよい。テストスイング中に中心部分２３８が一方に偏ると、不正確なテスト結果が得られる場合がある。傾斜したライ・ボード２３６に関係する高さの違いに対応するため、各強化部材２４６は個別の効果的な高さを有していてもよい。本明細書で使用される場合、「効果的な高さ」と言う用語は、強化部材２４６と接地面２０７の間の接触点によって特徴付けられる第１の点２６０と、接地面に実質的に垂直で第１の点を含んでいる仮想線２６４と打撃表面２４４との交点で特徴付けられる第２の点２６２との間の垂直距離を意味する。強化部材の効果的な高さは、０．１０インチ（約０．２５ｃｍ）と１インチ（約２．５ｃｍ）との間の範囲、より好ましくは約０．２５インチ（０．６３ｃｍ）と０．５０インチ（約１．３ｃｍ）の間の範囲であってよい。
【００２４】
図１４−１９に例示されているように、中心強化部に対する強化部材の方位は様々であってよい。例えば、図１４に示されるように、第２ライ・ボード２３６は、中心位置３６８から始まる複数の強化部材を有する中心強化部３４８を含んでいてもよい。少なくとも２つの強化部材３４６は中心強化部３４８を通って対角線に置かれ、少なくとも２つの強化部材３４６は互いに直交していてもよい。別の実施例では、図１５に示すように、第２ライ・ボード４３６は円形の複数の強化部材４４６を有する中心強化部４４８を含んでいてもよい。図１６は、蜂の巣構造の複数の強化部材５４６を含む中心強化部５４８を有する第２ライ・ボード５３６を示している。あるいは、図１７は、ワッフル状に配置された複数の強化部材６４６を有する強化部６４８を含む第２ライ・ボード６３６を示している。別の実施例では、図１８に示すように、第２ライ・ボード７３６は、単一の曲線からなる強化部材７４６を含む中心強化部７４８を有していてもよい。更に別の実施例では、図１９に示すように、第２ライ・ボード８３６は、各強化部材８４６が横方向の寸法８７０に平行に置かれている複数の強化部材８４６を含む中心強化部８４８を有していてもよい。
【００２５】
再び図９Ａを参照すると、第１境界標（例えば、第１境界標２３４ａ）がトウ領域２２６ａの近似位置にある場合、第２ライ・ボード２３６に対して試験用のクラブ２００をスイングするようにプレイヤーは指示されるが、この場合、第２ライ・ボード２３６はプレイヤーに対して垂直のライ角方位にある。図２０に示すように、プレイヤーが足を側方表面２５２の最高端に近く、しかもそれに垂直に置いた状態で斜角の打撃表面２４４に対して構えている場合、第２ライ・ボード２３６は垂直のライ角方位（ＵＬＯ）にある。第２ライ・ボードに対して垂直のライ角テストスイングを行う前に、ゲージ２１２（図６を参照）の各領域に個別の垂直ライ角値を割り当ててもよい。例えば、トウ領域２２６ａは第１垂直ライ角値（例えば３°）に関係し、中間領域２２６ｂは第２垂直ライ角値（例えば２°）に関係し、ヒール領域２２６ｃは第３垂直ライ角値（例えば１°）に関係してもよい。
【００２６】
垂直ライ角テストスイングの間、斜角打撃表面２２４に対するゲージ２１２の衝撃により、ゲージ２１２上に第２境界標が生じる。図２１Ａを参照すると、第２境界標（例えば第２境界標２７０ａのようなマーク）がトウ領域２２６ａの近似位置である場合、試験用ライ角β（図６を参照）と第１垂直ライ角の合計に実質的に等しい基準ライ角を有する少なくとも１つのアイアンタイプのゴルフクラブが、プレイヤーのために選択される。図２１Ｂを参照すると、第２境界標（例えば第２境界標２７０ｂ）がヒール領域２２６ｃの近似位置である場合、試験用ライ角βと第３垂直ライ角の合計に実質的に等しい基準ライ角を有する少なくとも１つのアイアンタイプのゴルフクラブが、プレイヤーのために選択される。図２１Ｃを参照すると、第２境界標（例えば第２境界標２７０ｃ）が中間領域２２６ｂの近似位置である場合、試験用ライ角βと第２垂直ライ角の合計に実質的に等しい基準ライ角を有する少なくとも１つのアイアンタイプのゴルフクラブが、プレイヤーのために選択される。
【００２７】
再び図９Ｂを参照すると、第１境界標（例えば、第１境界標２３４ｂ）がヒール領域２２６ｃの近似位置にある場合、第２ライ・ボード２３６に対して試験用のクラブ２００をスイングするようにプレイヤーは指示されるが、この場合、第２ライ・ボード２３６はプレイヤーに対してフラットのライ角方位にある。図２０に示すように、プレイヤーが足を側方表面２５２の最低端に近く、しかもそれに垂直に置いた状態で斜角の打撃表面２４４に対して構えている場合、第２ライ・ボード２３６はフラットのライ角方位（ＦＬＯ）にある。第２ライ・ボードに対してフラットのライ角テストスイングを行う前に、ゲージ２１２の各領域に個別のフラットライ角値を割り当ててもよい。例えば、トウ領域２２６ａは第１フラットライ角値（例えば１°）に関係し、中間領域２２６ｂは第２フラットライ角値（例えば２°）に関係し、ヒール領域２２６ｃは第３フラットライ角値（例えば３°）に関係してもよい。
【００２８】
フラットライ角テストスイングの間、斜角打撃表面２２４に対するゲージ２１２の衝撃により、ゲージ２１２上に第２境界標が生じる。図２２Ａを参照すると、第２境界標（例えば第２境界標２７０ａ）がトウ領域２２６ａの近似位置である場合、試験用ライ角βと第１フラットライ角の差に実質的に等しい基準ライ角を有する少なくとも１つのアイアンタイプのゴルフクラブが、プレイヤーのために選択される。図２２Ｂを参照すると、第２境界標（例えば第２境界標２７０ｂ）がヒール領域２２６ｃの近似位置である場合、試験用ライ角βと第３フラットライ角の差に実質的に等しい基準ライ角を有する少なくとも１つのアイアンタイプのゴルフクラブが、プレイヤーのために選択される。図２２Ｃを参照すると、第２境界標（例えば第２境界標２７０ｃ）が中間領域２２６ｂの近似位置である場合、試験用ライ角βと第２フラットライ角の差に実質的に等しい基準ライ角を有する少なくとも１つのアイアンタイプのゴルフクラブが、プレイヤーのために選択される。
【００２９】
試験用のクラブとライ・ボード間の衝撃場所はスイング毎に異なる場合があるので、プレイヤーのスイング傾向を正確に決定するため、第１ライ・ボード２２５（図７）と第２ライ・ボード２３６（図１１）に対して複数のテストスイングを行うようにプレイヤーに指示してもよい。例えば、少なくとも２つの第１境界標をゲージ２１２上に付けさせるため、第１ライ・ボード２２５の水平打撃表面に対して少なくとも２つのテストスイングを行うようにプレイヤーに指示してもよい。図２３Ｃを参照すると、少なくとも２つの第１境界標２３４ｃの中の大多数が中間領域２２６ｂの近似位置にある場合、試験用ライ角βに実質的に等しい基準ライ角を有する少なくとも１つのアイアンタイプのゴルフクラブが、プレイヤーのために選択される。しかし、少なくとも２つの第１境界標２３４ａの中の大多数がトウ領域２２６ａ（図２３Ａ）またはヒール領域２２６ｃ（図２３Ｂ）の近似位置にある場合、第２ライ・ボードに対して少なくとも２つのテストスイングを行うようにプレイヤーに指示する。第２ライ・ボード２３６に対してテストスイングを行う前に、ゲージ２１２を試験用クラブのソールから外し、新しいゲージで置き替えてもよい。
【００３０】
再び図２３Ａを参照すると、第１境界標（例えば、第１境界標２３４ａ）の中の大多数がトウ領域２２６ａの近似位置にある場合、第２ライ・ボード２３６（図１１）に対して複数のテストスイングを行うようにプレイヤーは指示されるが、この場合、第２ライ・ボード２３６はプレイヤーに対して垂直のライ角方位にある。第２ライ・ボードの斜角打撃表面に対するゲージ２１２の各衝撃により、トウ領域２２６ａ、中間領域２２６ｂまたはヒール領域２２６ｃの近似位置に第２境界標が生じる。
【００３１】
少なくとも２つの第２境界標２７０ａの中の大多数がトウ領域２２６ａ（図２４Ａ）の近似位置にある場合、試験用ライ角βと第１垂直ライ角値の合計に実質的に等しい基準ライ角を有する少なくとも１つのアイアンタイプのゴルフクラブが、プレイヤーのために選択される。あるいは、少なくとも２つの第２境界標２７０ｂの中の大多数がヒール領域２２６ｃ（図２４Ｂ）の近似位置にある場合、試験用ライ角βと第３垂直ライ角値の合計に実質的に等しい基準ライ角を有する少なくとも１つのアイアンタイプのゴルフクラブが、プレイヤーのために選択される。更に、少なくとも２つの第２境界標２７０ｃの中の大多数が中間領域２２６ｂ（図２４Ｃ）の近似位置にある場合、試験用ライ角βと第２垂直ライ角値の合計に実質的に等しい基準ライ角を有する少なくとも１つのアイアンタイプのゴルフクラブが、プレイヤーのために選択される。
【００３２】
再び図２３Ｂを参照すると、第１境界標（例えば、第１境界標２３４ｂ）の中の大多数がヒール領域２２６ｃの近似位置にある場合、第２ライ・ボード２３６に対して複数のテストスイングを行うようにプレイヤーは指示されるが、この場合、第２ライ・ボード２３６はプレイヤーに対してフラットなライ角方位にある。斜角打撃表面２４４に対するゲージ２１２の各衝撃により、トウ領域２２６ａ、中間領域２２６ｂまたはヒール領域２２６ｃの近似位置に第２境界標が生じる。
【００３３】
２つの第２境界標の中の大多数がトウ領域２２６ａ（図２５Ａ）の近似位置にある場合、試験用ライ角βと第１フラットライ角値の差に実質的に等しい基準ライ角を有する少なくとも１つのアイアンタイプのゴルフクラブが、プレイヤーのために選択される。反対に、少なくとも２つの第２境界標の中の大多数がヒール領域２２６ｃ（図２５Ｂ）の近似位置にある場合、試験用ライ角βと第３フラットライ角値の差に実質的に等しい基準ライ角を有する少なくとも１つのアイアンタイプのゴルフクラブが、プレイヤーのために選択される。更に、少なくとも２つの第２境界標の中の大多数が中間領域２２６ｂ（図２５Ｃ）の近似位置にある場合、試験用ライ角βと第２フラットライ角値の差に実質的に等しい基準ライ角を有する少なくとも１つのアイアンタイプのゴルフクラブが、プレイヤーのために選択される。
【００３４】
本発明の１つ以上の態様によると、基準ライ角はライ・ボードなしに決定してもよい。例えば、プレイヤーにテストスイングを行うように指示する場合、どのような水平表面（例えば、打撃マット）を用いてもよい。更に、上述の第２ライ・ボードの代わりに、１つ以上の斜角打撃表面を提供してもよい。更に別の態様では、本発明は、本明細書に記載するいずれかの方法を用いて、特定の人に特注適合させたゴルフクラブおよび／またはゴルフクラブセットを含んでもよい。
【００３５】
以上、本発明を特定の典型的な態様を参照して説明した。しかし、添付の特許請求の範囲に記載される本発明のより広範な趣旨および範囲を逸脱することなく、種々の修正および変更が可能であることは明白である。従って、本明細書および図面は、限定的でなく、例示的なものと見なすべきである。
【符号の説明】
【００３６】
２００…試験用のクラブ、２０７…接地面、２０８…ソール、２１２…ゲージ、２２４…斜角打撃表面、２２５…第１ライ・ボード、２２６ａ…トウ領域、２２６ｂ…中間領域、２２６ｃ…ヒール領域、２３２…水平打撃表面、２３４ａ…第１境界標、２３４ｂ…第１境界標、２３４ｃ…第１境界標、２３６…第２ライ・ボード、２３８…中心部分、２４０…支持構造体、２４４…（斜角）打撃表面、２４５…窪み、２４６…強化部材、２４８…中心強化部、２５０…側方部、２５２…側方表面、２５４…支持脚、２５６…足、２６０…第１の点、２６２…第２の点、２６４…仮想線、２７０ａ…第２境界標、２７０ｂ…第２境界標、２７０ｃ…第２境界標、３４６…強化部材、３４８…中心強化部、３６８…中心位置、４３６…第２ライ・ボード、４４６…強化部材、４４８…中心強化部、５３６…第２ライ・ボード、５４６…強化部材、５４８…中心強化部、６３６…第２ライ・ボード、６４６…強化部材、６４８…強化部、７３６…第２ライ・ボード、７４６…強化部材、７４８…中心強化部、８３６…第２ライ・ボード、８４６…強化部材、８４８…中心強化部、８７０…寸法
【図１】
0005520783.tif 000002
【図２】
0005520783.tif 000003
【図３】
0005520783.tif 000004
【図４】
0005520783.tif 000005
【図５】
0005520783.tif 000006
【図６】
0005520783.tif 000007
【図７】
0005520783.tif 000008
【図８】
0005520783.tif 000009
【図９Ａ】
0005520783.tif 000010
【図９Ｂ】
0005520783.tif 000011
【図９Ｃ】
0005520783.tif 000012
【図１０】
0005520783.tif 000013
【図１１】
0005520783.tif 000014
【図１２】
0005520783.tif 000015
【図１３】
0005520783.tif 000016
【図１４】
0005520783.tif 000017
【図１５】
0005520783.tif 000018
【図１６】
0005520783.tif 000019
【図１７】
0005520783.tif 000020
【図１８】
0005520783.tif 000021
【図１９】
0005520783.tif 000022
【図２０】
0005520783.tif 000023
【図２１Ａ】
0005520783.tif 000024
【図２１Ｂ】
0005520783.tif 000025
【図２１Ｃ】
0005520783.tif 000026
【図２２Ａ】
0005520783.tif 000027
【図２２Ｂ】
0005520783.tif 000028
【図２２Ｃ】
0005520783.tif 000029
【図２３Ａ】
0005520783.tif 000030
【図２３Ｂ】
0005520783.tif 000031
【図２３Ｃ】
0005520783.tif 000032
【図２４Ａ】
0005520783.tif 000033
【図２４Ｂ】
0005520783.tif 000034
【図２４Ｃ】
0005520783.tif 000035
【図２５Ａ】
0005520783.tif 000036
【図２５Ｂ】
0005520783.tif 000037
【図２５Ｃ】
0005520783.tif 000038